(57)【要約】【課題】プルーフ印刷で後処理加工を行う際に、後処理状態の確認を容易にしたり、資源の無駄な使用を回避したりすることを可能にする。【解決手段】印刷ジョブに基づいて画像形成を行う画像形成部と、画像形成部を制御し、プルーフ印刷機能の実施が可能な制御部と、を有し、制御部は、後処理加工設定を含む印刷ジョブに対し、プルーフ印刷機能の実施時には印刷ジョブに設定された後処理加工とは異なる、別の後処理加工を実施する制御を行う。【選択図】図７
2020179587.tif 000002
【特許請求の範囲】
【請求項１】
印刷ジョブに基づいて画像形成を行う画像形成部と、
前記画像形成部を制御し、プルーフ印刷機能の実施が可能な制御部と、を有し、
前記制御部は、後処理加工設定を含む印刷ジョブに対し、プルーフ印刷機能の実施時には印刷ジョブに設定された後処理加工とは異なる、別の後処理加工を実施する制御を行うことを特徴とする画像形成装置。
【請求項２】
前記制御部は、プルーフ印刷機能の実施時に、後処理加工設定の一部に対し、別の後処理加工を実施することを特徴とする請求項１記載の画像形成装置。
【請求項３】
別の後処理加工を実施する後処理加工設定が、断裁、ステイプルおよびパンチ処理の少なくとも一つである請求項１または２に記載の画像形成装置。
【請求項４】
前記制御部は、後処理加工設定を含む印刷ジョブの一部または全部に対し、プルーフ印刷機能の実施時には印刷ジョブに設定された後処理加工とは異なる、別の後処理加工を実施するかを設定可能とすることを特徴とする請求項１〜３のいずれか１項に記載の画像形成装置。
【請求項５】
前記制御部は、  前記制御部は、後処理加工設定を含む印刷ジョブの一部または全部に対し、プルーフ印刷機能の実施時には印刷ジョブに設定された後処理加工とは異なる、別の後処理加工を実施する際に、通常の後処理で使用する後処理部と異なる後処理部を使用するかを設定可能とすることを特徴とする請求項１〜４のいずれか１項に記載の画像形成装置。
【請求項６】
前記制御部は、ユーザーが指定した特定の後処理加工が印刷ジョブに設定されている場合に、ユーザー指定の別の後処理加工を実施する制御を行うことを特徴とする請求項１〜５のいずれか１項に記載の画像形成装置。
【請求項７】
別の後処理加工とは、後処理オプションに接続された、水平方向／垂直方向用の後処理モジュールからそれぞれ決定することを特徴とする請求項１〜６のいずれか１項に記載の画像形成装置。
【請求項８】
別の後処理加工は同じ後処理オプションで実施できる後処理加工から選択することを特徴とする請求項１〜７のいずれか１項に記載の画像形成装置。
【請求項９】
請求項１〜８のいずれか１項に記載の画像形成装置と、後処理加工を行う後処理装置と、を備える画像形成システム。
【請求項１０】
印刷ジョブに基づいて画像形成を行う画像形成部を有する画像形成装置を管理する管理装置であって、
前記画像形成装置の動作を制御する管理制御部を有し、
前記管理制御部は、前記画像形成装置で行われる後処理加工設定を含む印刷ジョブに対し、プルーフ印刷機能の実施時には印刷ジョブに設定された後処理加工とは異なる、別の後処理加工を実施する制御を行うことを特徴とする管理装置。
【請求項１１】
印刷ジョブに基づいて画像形成を行う画像形成部を有する画像形成装置を制御するコンピュータで実行されるプログラムであって、
前記プログラムは、前記コンピュータに、画像形成装置で行われる後処理加工設定を含む印刷ジョブに対し、プルーフ印刷機能の実施時には印刷ジョブに設定された後処理加工とは異なる、別の後処理加工を実施する制御を実行させることを特徴とするプログラム。
【発明の詳細な説明】
【技術分野】
【０００１】
この発明は、後処理加工の設定が可能であり、さらにプルーフ印刷機能を実施する制御が可能な画像形成装置、画像形成システム、管理装置およびプログラムに関する。
【背景技術】
【０００２】
印刷ジョブに基づいて印刷を行う画像形成装置では、印刷を行った用紙に対して、フィニッシャーオプションを接続することにより、ステイプルやパンチ、断裁処理などの様々な後処理加工を実施することが可能である。後処理加工の内容については印刷ジョブに対して設定することが一般的に行われている。
また、画像形成装置では、画像形成装置で印刷した印刷物の画像が正常であるかを判定するために、試しで印刷を行うプルーフ印刷機能を有しているものがある。
上記の装置において、後処理設定された印刷ジョブに対しプルーフ印刷機能を利用した場合、出力物には設定された後処理が実施される。
【０００３】
さらに、従来の画像形成装置には、１回のプリント設定において複数のお試し後処理設定を行うことができるようにしたものが提案されており、印刷ジョブに対し、プルーフ印刷を実施する時に、様々な後処理設定を試すことを容易にしている（特許文献１参照）。
具体的には、プリント設定画面を表示するプリント設定画面表示手段と、前記プリント設定画面表示手段によって表示されたプリント設定画面において、お試し後処理モードが指定されると、お試し後処理設定ＵＩを表示するお試し後処理設定ＵＩ表示手段と、前記お試し後処理設定ＵＩ表示手段によって表示されたお試し後処理設定ＵＩ画面において、複数の後処理方法を一括指定する一括指定手段とを設け、「設定→印刷→後処理」という処理を繰り返し実行することなく、複数のお試し印刷、及びお試し後処理を実行できるようにしている。  
【先行技術文献】
【特許文献】
【０００４】
【特許文献１】特開２００８−１５２４７２号公報
【発明の概要】
【発明が解決しようとする課題】
【０００５】
しかし、従来の画像形成装置では、後処理設定において、例えば断裁設定を行った場合、ユーザーがプルーフ印刷で画像位置と断裁位置のバランスを確認したい様な時であっても、断裁してしまうため紙がバラバラになり、断裁片が元々どの位置に有ったのか（カット前は紙の右上だったのか左下だったのか等）がわからなくなってしまう。このため、出力物に画像と断裁位置バランスに問題が見つかったとしても、画像位置が悪いのか、断裁位置の設定が悪いのか、複数ある断裁位置設定のどれが悪いのかがわかりにくい、という問題がある。
また、プルーフ印刷時にステイプルやパンチ処理を実施すると、後処理加工パーツの消耗や部材（ステイプル用針など）を消耗してしまうという問題がある。
【０００６】
本発明は、上記事情を背景としてなされたものであり、後処理設定された印刷ジョブに対し、プルーフ印刷機能による出力時には、部材の消耗等を抑制した出力物、あるいはユーザーが後処理位置の確認を行いやすい出力物を得ることができる画像形成装置、画像形成システム、管理装置およびプログラムを提供することを目的とする。
【課題を解決するための手段】
【０００７】
すなわち、本発明の画像形成装置のうち、第１の形態は、
印刷ジョブに基づいて画像形成を行う画像形成部と、
前記画像形成部を制御し、プルーフ印刷機能の実施が可能な制御部と、を有し、
前記制御部は、後処理加工設定を含む印刷ジョブに対し、プルーフ印刷機能の実施時には印刷ジョブに設定された後処理加工とは異なる、別の後処理加工を実施する制御を行うことを特徴とする。
【０００８】
第２の形態の画像形成装置の発明は、前記形態の発明において、前記制御部は、プルーフ印刷機能の実施時に、後処理加工設定の一部に対し、別の後処理加工を実施することを特徴とする。
【０００９】
第３の形態の画像形成装置の発明は、前記形態の発明において、別の後処理加工を実施する後処理加工設定が、断裁、ステイプルおよびパンチ処理の少なくとも一つである。
【００１０】
第４の形態の画像形成装置の発明は、前記形態の発明において、前記制御部は、後処理加工設定を含む印刷ジョブの一部または全部に対し、プルーフ印刷機能の実施時には印刷ジョブに設定された後処理加工とは異なる、別の後処理加工を実施するかを設定可能とすることを特徴とする。
【００１１】
第５の形態の画像形成装置の発明は、前記形態の発明において、前記制御部は、後処理加工設定を含む印刷ジョブの一部または全部に対し、プルーフ印刷機能の実施時には印刷ジョブに設定された後処理加工とは異なる、別の後処理加工を実施する際に、通常の後処理で使用する後処理部と異なる後処理部を使用するかを設定可能とすることを特徴とする。
【００１２】
第６の形態の画像形成装置の発明は、前記形態の発明において、前記制御部は、ユーザーが指定した特定の後処理加工が印刷ジョブに設定されている場合に、ユーザー指定の別の後処理加工を実施する制御を行うことを特徴とする。
【００１３】
第７の形態の画像形成装置の発明は、前記形態の発明において、別の後処理加工とは、後処理オプションに接続された、水平方向／垂直方向用の後処理モジュールからそれぞれ決定することを特徴とする。
【００１４】
第８の形態の画像形成装置の発明は、前記形態の発明において、別の後処理加工は同じ後処理オプションで実施できる後処理加工から選択することを特徴とする。
【００１５】
本発明の画像形成システムのうち、第１の形態は、前記各形態の発明のいずれかに記載の画像形成装置と、後処理加工を行う後処理装置と、を備える。
【００１６】
本発明の管理装置のうち、第１の形態は、印刷ジョブに基づいて画像形成を行う画像形成部を有する画像形成装置を管理する管理装置であって、
前記画像形成装置の動作を制御する管理制御部を有し、
前記管理制御部は、前記画像形成装置で行われる後処理加工設定を含む印刷ジョブに対し、プルーフ印刷機能の実施時には印刷ジョブに設定された後処理加工とは異なる、別の後処理加工を実施する制御を行うことを特徴とする。
【００１７】
本発明のプログラムのうち、第１の形態は、印刷ジョブに基づいて画像形成を行う画像形成部を有する画像形成装置を制御するコンピュータで実行されるプログラムであって、
前記プログラムは、前記コンピュータに、画像形成装置で行われる後処理加工設定を含む印刷ジョブに対し、プルーフ印刷機能の実施時には印刷ジョブに設定された後処理加工とは異なる、別の後処理加工を実施する制御を実行させることを特徴とする。
【発明の効果】
【００１８】
本発明によれば、後処理設定された印刷ジョブに対し、プルーフ印刷機能による出力時には、ジョブに設定された後処理とは異なる後処理を実施することで、部材の消耗等、あるいはユーザーが後処理位置の確認を行いやすい出力物を得ることができる。なお、通常印刷時は、印刷ジョブに設定された後処理を行うことができる。
【図面の簡単な説明】
【００１９】
【図１】本発明の画像形成システムおよび画像形成システムの概略構成を示す図である。
【図２】同じく、画像形成装置の制御ブロックを示す図である。
【図３】断裁設定例を説明する図である。
【図４】断裁後の用紙を示す図である。
【図５】ジョブ印刷のプルーフ印刷で、断裁設定の後処理加工を別の内容で行った例を説明する図である。
【図６】ジョブ印刷のプルーフ印刷で、ステイプル設定の後処理加工を別の内容で行った例を説明する図である。
【図７】プルーフ印刷で後処理加工を別の後処理加工で実施する手順を示すフローチャートである。
【図８】プルーフ印刷時に後処理加工を別の後処理加工（代替処理）に変更する際の設定画面を示す図である。
【発明を実施するための形態】
【００２０】
本発明の一実施の形態における画像形成装置および画像形成システムを添付図面に基づいて説明する。
図１は、画像形成装置を含む画像形成システムの中央断面図であり、機械的な構成を示している。以下に、その構成を説明する。
画像形成システム１は、装置本体１０と、その下流側に位置する画像検査部２０と、さらにその下流に位置する後処理装置３０と、装置本体１０の上流側に位置する給紙部４０と、を備えている。各装置は機械的、電気的に接続されており、装置間での用紙の搬送と、各装置間での情報の送受信とが可能になっている。本実施形態では、これらの装置によって画像形成システム１が構成されており、装置本体１０と給紙部４０とにより画像形成装置が構成されている。
なお、本発明としては画像形成システムおよび画像形成装置の構成が上記に限定されるものではなく、装置本体１０に後処理装置３０を加えたもので画像形成装置が構成されるものでもよい。以下、各装置の構成を具体的に説明する。
【００２１】
装置本体１０では、筺体の上部側に操作部１５０が設置されている。操作部１５０には、タッチパネル式のＬＣＤ１５１を有しており、操作者による操作および情報の表示が可能になっている。ＬＣＤ１５１は、操作部と表示部を兼用しており、本発明の操作表示部として機能する。なお、操作部をマウスやタブレットなどで構成し、表示部とは別体で構成することも可能であり、これら構成によって操作表示部が構成される。また、ＬＣＤ１５１は移動可能となっているものであってもよい。操作部１５０は、ユーザーインターフェースとして機能する。
【００２２】
装置本体１０の下部側には、用紙を収容して給紙する複数の本体トレイを有する本体給紙部１２が配置されている。また、装置本体１０の上流側には、複数の大容量給紙トレイを有する給紙部４０を有しており、用紙を収容して装置本体１０に対し用紙を給紙する。なお、この実施形態では、用紙は、本発明の記録媒体に相当する。なお、記録媒体は、紙に限定されるものではなく、布やプラスチックなどであってもよい。
【００２３】
装置本体１０内には、本体給紙部１２または給紙部４０から給紙される用紙を搬送する搬送経路１３が設けられており、装置本体１０内の搬送路途中に、画像形成部１１０が設けられている。画像形成部１１０は、各色（シアン（Ｃ）、マゼンタ（Ｍ）、イエロー（Ｙ）、ブラック（Ｋ））用にそれぞれ感光体１１ａを有しており、各感光体１１ａの周囲には、図示しない、帯電器、ＬＤ、現像器を有している。さらに、感光体１１ａの画像を転写する中間転写ベルト１１ｂ、中間転写ベルト１１ｂの画像を用紙に転写する二次転写部１１ｃを有している。
二次転写部１１ｃの下流側の搬送経路１３には、定着器１１ｄが配置されている。
【００２４】
上記した感光体１１ａ、図示しない帯電器、ＬＤ、現像器、中間転写ベルト１１ｂ、二次転写部１１ｃ、定着器１１ｄなどによって画像形成部１１０が構成されている。なお、画像形成部としては、単色で画像形成を行うものであってもよく、単色のみが印刷可能な画像形成部であってもよい。
また、搬送経路１３では、定着器１１ｄの下流側でストレート側から分岐した反転搬送経路１３ａを有している。反転搬送経路１３ａは、退避搬送経路１３ｂが分岐した以降の下流側では、画像形成部１１０の上流側で搬送経路１３に合流している。
【００２５】
用紙を反転して画像形成部１１０に環流する場合、反転搬送経路１３ａから一旦退避搬送経路１３ｂに送った後、逆走して下流側の反転搬送経路１３ａに送り、画像形成部１１０の上流側で搬送経路１３に合流させて用紙の裏面側への画像形成を行う。
上記した画像形成部１１０、本体給紙部１２、給紙部４０、搬送経路１３、反転搬送経路１３ａなどはプリンタ部を構成する。
【００２６】
装置本体１０には、制御部１００を有している。制御部１００は、画像形成システム１全体を制御するものであり、ＣＰＵやＣＰＵで実行されるプログラム、パラメータや作業領域となる記憶部などによって構成される。制御部１００では、画像形成装置で行われる後処理加工設定を含む印刷ジョブに対し、プルーフ印刷機能の実施時には印刷ジョブに設定された後処理加工とは異なる、別の後処理加工を実施する制御を行うことができる。すなわち、この場合、制御部１００は、本発明のコンピュータに相当し、制御部１００で実行されるプログラムには本発明のプログラムが含まれることになる。
【００２７】
画像検査部２０は、上流側が装置本体１０の搬送経路１３に接続され、下流側が後処理装置３０の搬送経路３３に接続された搬送経路２３を有している。
搬送経路２３の中途の上流側には、用紙の下方側の面の画像を読み取る画像読取部２４が備えられており、読取り結果を制御部１００に送信する。画像読取部２４はラインセンサーでもよく、また、ポイントで画像を読取る測色機などであってもよい。図では、順次、用紙Ｐ０、Ｐ１が搬送される状態を示している。
【００２８】
画像読取部２４よりも下流側の搬送経路２３には、用紙の上方側の面の画像を読取る画像読取部２５が備えられており、読取結果を制御部１００に送信する。画像読取部２５はラインセンサーでもよく、また、ポイントで画像を読み取る測色機などであってもよい。
制御部１００では、読取画像と正解画像の比較により画像の正否を判定することができる。また、画像検査部２０に画像比較部を設け、この画像比較部で画像の成否を判定するものとしてもよい。画像比較部は、ＣＰＵや記憶部、プログラムなどにより構成することができる。
【００２９】
後処理装置３０では、搬送経路２３に連なる搬送経路３３を有している。搬送経路３３は、ストレート側では第１排紙部３１に連なっており、分岐側で後処理部３４を経て第２排紙部３２に連なっている。
搬送経路２３を搬送される用紙は、所望により画像の検査が行われた後、後処理装置３０の搬送経路３３に送られて、後処理を行うことなく、第１排紙部３１に排紙するか、後処理部３４で所定の後処理が行われて第２排紙部３２に排紙する。後処理部３４では複数の後処理を行うものであってもよい。
【００３０】
後処理部３４では所定の後処理は実行される。後処理としては、ステイプル、パンチ、冊子、中綴じ、断裁処理などの適宜の処理が挙げられる。断裁処理を有する後処理部は、本発明の断裁装置に相当する。また、後処理を行わない用紙は第１排紙部３１に排紙される。後処理部３４を経た用紙は、束として第２排紙部３２に排紙される。
また、画像形成装置外に、オフラインで断裁装置を備えるものであってもよい。
【００３１】
また、画像形成装置には、ネットワークを介して外部機器４が接続されている。
外部機器４には、外部機器４を制御する外部機器制御部４００を有し、操作と表示を行うことができる外部機器操作部４１０を有している。外部機器４では、印刷ジョブを生成して、ネットワーク３を介して画像形成装置に送ることができる。
【００３２】
また、外部機器４は、画像形成装置を制御する管理装置としての機能を有するものとしてもよい。その場合、外部機器制御部４００は、管理制御部として機能することができる。管理制御部では、制御の一つとして、画像形成装置で行われる後処理加工設定を含む印刷ジョブに対し、プルーフ印刷機能の実施時には印刷ジョブに設定された後処理加工とは異なる、別の後処理加工を実施する制御を行うことができる。この場合、管理制御部は、本発明のコンピュータとして機能し、該コンピュータで実行されるプログラムには本発明のプログラムが含まれている。
【００３３】
図２は、図１の画像形成システムの制御ブロックを示す図である。
制御ブロック２００は、操作および情報の表示が可能な操作部１５０と、原稿を読み取る画像読取部１４０と、画像データに対して処理を行なう画像処理部１６０と、画像処理部１６０にて処理された画像データに基づいて用紙などに画像を形成する画像形成部１１０と、データを記憶する画像保存部１２０と、画像データの印刷処理を制御する画像出力部１７０と、画像形成装置と通信回線および他機器との接続を制御するネットワーク接続部１８０と、システム全体を制御するＣＰＵ（中央演算処理装置）１０１と、書き換え不可能な読み出しのみのデータが保存されているＲＯＭ１２１と、データが一時記憶されるＲＡＭ１２２と、データの書き換えが可能である、ＨＤＤ（Ｈａｒｄ  Ｄｉｓｋ  Ｄｒｉｖｅ）などを含む不揮発メモリ１２３と、読み取った原稿および／または画像形成した用紙に対して後処理を施す後処理部３４とを備える。ＣＰＵ１０１、ＲＯＭ１２１、ＲＡＭ１２２、不揮発メモリ１２３およびプログラムは本発明の制御部１００を構成する。
【００３４】
ＣＰＵ１０１を中心に、各モジュールが通信および制御信号に基づいて制御される。  画像読取部１４０で読み取られた画像データは、ＲＡＭ１２１上に確保されたファイルメモリエリアに一時的に格納される。そして、画像処理部１６０にて読み取った画像のファイルが生成され、生成されたファイルは画像保存部１２０に保存される。
【００３５】
次に、後処理として断裁が行われる例を図３、４に基づいて説明する。
図３に示すように、一点鎖線Ｃ０、Ｃ１に沿って断裁を行う用に断裁設定がされている印刷ジョブがあるとする（以後「印刷ジョブＡ」と呼ぶ）。
この印刷ジョブＡに対しプルーフ印刷機能を実施すると、図４に示すように、用紙Ｐは、一点鎖線Ｃ０、Ｃ１に沿って断裁されてしまう。このため、出力物に画像と断裁位置バランスに問題が見つかったとしても、画像位置が悪いのか、断裁位置の設定が悪いのか、複数ある断裁位置設定のどれが悪いのかがわかりにくい、という問題が生ずる。
【００３６】
そこで、プルーフ印刷時だけ、別の後処理加工に置き換える。
置き換える対象となる後処理設定、及び代わりに実施する後処理設定はユーザーが選択しても良い。
例えば、後処理加工には通紙方向に対し水平方向、あるいは垂直方向のみ実施可能な場合がある。代わりに実施する後処理設定は、置き換え元の後処理設定と同じ方向のものから選択／決定してもよい。例えば、画像形成装置のうちには、水平方向ミシン目モジュール、垂直方向ミシン目モジュール、クリースモジュール（水平方向のみ）が存在するものがある。
図５では、断裁線を、水平方向では、ミシン目加工位置で示し、垂直方向では、クリース加工位置で示しており、プルーフ印刷機能では、断裁されることなく断裁位置の確認を行うことができる。
【００３７】
画像形成装置に複数の後処理オプションが接続されている場合がある。後処理オプション毎に後処理位置微調整値が異なるケースがあるため、代わりに実施する後処理設定は置き換え元の後処理設定と同じ後処理オプションで実施できるものから選択／決定してもよい。※断裁もミシン目処理もステイプルもパンチもできる後処理オプションが複数接続できる状況を想定している。
【００３８】
上記は断裁の場合の例であったが、ステイプルなどの部材の消費を抑制する為に他の後処理に置き換えるケースも同様に考えられる。
図６は、後処理加工のステイプルをプルーフ印刷時に他の処理に置き換えた場合の出力例である。左図の太線は、ステイプル位置であり、点線は、ミシン目加工位置、二点鎖線はクリース加工位置を示しており、ステイプルの位置を、ミシン目加工位置、クリース加工位置で示すことを可能にしている。これにより、プルーフ印刷時に、ステイプルに用いる針を無駄に使用することがなくなる。
上記のようにプルーフ印刷機能で、加工位置で示すことができる。
【００３９】
次に、ジョブの印刷に際し、プルーフ印刷であるかを確認して制御を行う手順を図７のフローチャートに基づいて説明する。以下の手順は、本発明のコンピュータによって制御される。
【００４０】
先ず、後処理設定されている印刷ジョブであるかを判定する（ステップｓ１）。後処理設定されている印刷ジョブでない場合（ステップｓ１、Ｎ）、後処理設定を変更せずに印刷を行い（ステップｓ５）、その後、処理を終了する。
後処理設定されている印刷ジョブである場合（ステップｓ１、Ｙ）、プルーフ印刷であるかを判定する（ステップｓ２）。プルーフ印刷でなければ（ステップｓ２、Ｎ）、ステップｓ５に移行して後処理設定を変更せずに印刷をする。
【００４１】
ステップｓ２で、プルーフ印刷である場合（ステップｓ２、Ｙ）、プルーフ時後処理変更設定がＯＮであるかを判定する。後処理変更設定は、予め機械設定などによって設定されているものであってもよく、また、ユーザーが操作部を介してＯＮ、ＯＦＦの設定を行えるようにしてもよい。また、後処理加工の設定の内容によって、ＯＮ、ＯＦＦが設定されているものであってもよい。例えば、断裁、ステイプル、パンチなどで後処理変更設定をＯＮにしておき、その他の後処理加工では、ＯＦＦに設定するなどが例示される。
【００４２】
後処理変更設定がＯＦＦの場合（ステップｓ３、ＯＦＦ）、ステップｓ５に移行して後処理設定を変更せずに印刷を行う。
後処理変更設定がＯＮの場合（ステップｓ３、ＯＮ）、後処理設定を変更して印刷を行う（ステップｓ４）。変更する後処理設定の内容は、予め機械設定などによって設定されていてもよく、また、予めユーザーの設定によって設定されていてもよい。また、ユーザーに変更する後処理設定の内容を問い合わせて、ユーザーが任意に、または予め定められた複数の変更内容から選択するものであってもよい。
印刷後、処理を終了する。
【００４３】
また、プルーフ印刷で後処理設定の変更を行う際の設定画面を図８に基づいて説明する。
設定画面５００は、操作部１５０や外部機器操作部４１０などに操作可能に表示することができる。
設定画面５００では、プルーフ印刷機能設定画面から遷移した画面などとすることができる。
設定画面５００では、プルーフ時後処理変更のＯＮ、ＯＦＦを設定するＯＮ釦５１０、ＯＦＦ釦５１１が押下可能に表示されており、いずれかを選択して押下することができる。図の画面上では、ＯＮが設定された状態になっている。
【００４４】
さらに、設定画面５００では、ＯＮ釦５１０、ＯＦＦ釦５１１の下側に、代替後処理の選択制限を選択する釦として、「同じＦＮＳ」釦５２０、「制限しない」釦５２０が押下可能に表示されている。「同じＦＮＳ」釦５２０が押下されると、当初の後処理が、後処理内容を変更した上、同じ後処理部で実行される。「制限しない」釦５２０が押下されると、後処理部の選択は制限されない。図では、「同じＦＮＳ」釦が選択された状態になっている。これら釦は、プルーフ時後処理変更がＯＮの場合にのみ押下可能となるものであってもよい。
【００４５】
さらに、「同じＦＮＳ」釦５２０、「制限しない」釦５２０の下方側に、代替手段の選択を行う釦が表示されている。すなわち、「自動」釦５３０と、「ユーザー指定」釦５３１が押下可能に表示されている。
「自動」釦５３０が押下されると、予め設定された代替手段が選択される。「ユーザー指定」釦５３１が押下されると、ユーザーが指定した代替手段が選択される。図では、ユーザー指定が選択されている。
上記釦の下方側には、代替手段のリスト５４０が表示されて各項目の選択が可能になっている。
【００４６】
リスト５４０では、左側に置き換え対象の後処理設定が表示され、右側に代替処理の後処理設定が表示されている。左側の置き換え対象のリスト項目に対する代替処理の内容を右側のリスト項目で選択することができる。リスト項目には、選択可能な置き換え対象または代替処理の内容がリスト表示されて、機能の代替処理を選択することができる。
図では、断裁、水平方向の置き換え対象に対し、ミシン目、水平方向が選択され、
断裁、垂直方向の置き換え対象に対し、クリース、垂直方向が選択されている。
また、ステイプルの置き換え対象に対し、ミシン目、水平方向の代替処理が選択されている。左側の置き換え対象のリスト項目に対し、右側のリスト項目では、代替可能な処理のみが表示されて選択できるようにしてもよい。
【００４７】
設定画面５００では、最下段に、ＯＫ釦５５０、キャンセル釦５５１が押下可能に表示されている。ＯＫ釦５５０を押下すると、設定されている項目および初期設定の項目が確定する。キャンセル釦５５１が押下されると、設定されている項目がキャンセルされる。
【００４８】
以上、本発明について、上記実施形態に基づいて説明を行ったが、本発明は、上記実施形態の内容に限定されるものではなく、本発明の範囲を逸脱しない限りは、本実施形態に対する適宜の変更が可能である。
【符号の説明】
【００４９】
１  画像形成システム
３  ネットワーク
４  外部機器
１０  装置本体
１３  搬送経路
２０  画像検査部
３０  後処理装置
３４  後処理部
１００  制御部
１０１ ＣＰＵ（中央演算処理装置）
１１０  画像形成部
１２０  画像保存部
１２３  不揮発メモリ
１５０ 操作部
１６０ 画像処理部
１７０ 画像出力部
１８０ ネットワーク接続部
２００ 制御ブロック
４００ 外部機器制御部
４１０ 外部機器操作部
５００ 設定画面
【図１】
2020179587.tif 000003
【図２】
2020179587.tif 000004
【図３】
2020179587.tif 000005
【図４】
2020179587.tif 000006
【図５】
2020179587.tif 000007
【図６】
2020179587.tif 000008
【図７】
2020179587.tif 000009
【図８】
2020179587.tif 000010